(57)【要約】【課題】  本発明は魚釣用リールに関し、制御ケース上に配設する機能スイッチの減少を図って誤操作を防止すると共に、外観及び保持性の向上を図り、限られたスペースの有効利用を図った魚釣用リールを提供することを目的とする。【解決手段】  請求項１に係る魚釣用リールは、リール本体の上部に設けた制御ケース上に少なくとも２つの機能スイッチを配設し、２つの機能スイッチを同時に所定時間押圧操作することで、リールの動作状態をモード切換え状態に切換え可能とすると共に、当該モード切換え状態に於て、２つの機能スイッチのうちの一方の操作で各種のモードに切換え可能としたことを特徴とする。【選択図】    図５
2005176702.tif 000002
【特許請求の範囲】
【請求項１】
リール本体の上部に設けた制御ケース上に少なくとも２つの機能スイッチを配設し、２つの機能スイッチを同時に所定時間押圧操作することで、リールの動作状態をモード切換え状態に切換え可能とすると共に、当該モード切換え状態に於て、２つの機能スイッチのうちの一方の操作で各種のモードに切換え可能としたことを特徴とする魚釣用リール。
【請求項２】
各種のモードでの条件設定を、２つの機能スイッチのうちの他方の操作、またはリール本体に別途装着した他の機能操作部材の操作で設定可能としたことを特徴とする請求項１に記載の魚釣用リール。
【請求項３】
機能スイッチが、リール本体に装着した手動ハンドル側に偏寄して制御ケース上に配設されていることを特徴とする請求項１または請求項２に記載の魚釣用リール。
【請求項４】
リールの動作状態をモード切換え状態に切り換える２つの機能スイッチの一方が、スプールを巻取り駆動するスプールモータのモータ駆動ＯＮ／ＯＦＦスイッチであることを特徴とする請求項１乃至請求項３のいずれか１項に記載の魚釣用リール。
【発明の詳細な説明】
【技術分野】
【０００１】
本発明は魚釣用リールに係り、詳しくはリール本体上部の制御ケース上に複数の機能スイッチを備えた魚釣用リールに関する。
【背景技術】
【０００２】
船釣り等の深海釣りに使用される魚釣用リールには、棚取りを確実，容易にして釣果の向上を図るため、釣糸の巻取り量や繰出し量を計測して、リール本体上部に設けた制御ケースの表示器に計測値（糸長）を表示する糸長計測装置を備えたり、釣糸の巻取り操作を軽快に行うため、スプールモータをリール本体に装着して、当該スプールモータの駆動で釣糸を自動的にスプールに巻き取ったり、更にまた、昨今では特許文献１に開示されるように、釣場の状況変化に応じてスプールモータによる釣糸の巻取り速度を可変制御可能とする等、釣人のニーズに対応すべく魚釣用リールの機能や操作性を向上するために電子化が進んでいるのが現状である。そして、一般に深場の魚層を対象とした魚釣りを行う場合、電動リールが主流となっている。
【０００３】
そして、このように電子化が進んだ魚釣用リールには、例えば糸長計測装置の条件設定を行う設定スイッチやスプールモータのＯＮ／ＯＦＦスイッチを始め、リールの動作状態を切り換えるモード切換えスイッチや各モードでの条件設定スイッチ，リセットスイッチといった各種の機能スイッチが、リール本体の上部に設けた制御ケース上に複数配設されており、釣場の状況に応じ釣人がこれらの機能スイッチを適宜選択して操作している（特許文献１，２参照。）。
【特許文献１】特許第２９４５５３０号公報
【特許文献２】特許第２９９５２１５号公報
【発明の開示】
【発明が解決しようとする課題】
【０００４】
しかし乍ら、このように制御ケース上という限られたスペースに複数の機能スイッチを配設すると、特に揺れる船上では誤操作し易く、不要な機能の誤作動によって思わぬトラブルが発生し、また、リールを握持する際に機能スイッチが邪魔になって操作性が悪く、更にまた、機能スイッチの数が多くなってしまうと、視覚的に操作の煩雑感を生じて不快であると共に、機能スイッチを配置する広いスペースが必要となり、その分リール全体が大型化してしまう等の不具合があった。
【０００５】
本発明は斯かる実情に鑑み案出されたもので、制御ケース上に配設する機能スイッチの減少を図って誤操作を防止すると共に、外観及び保持性の向上を図り、限られたスペースの有効利用を図った魚釣用リールを提供することを目的とする。
【課題を解決するための手段】
【０００６】
斯かる目的を達成するため、請求項１に係る魚釣用リールは、リール本体の上部に設けた制御ケース上に少なくとも２つの機能スイッチを配設し、２つの機能スイッチを同時に所定時間押圧操作することで、リールの動作状態をモード切換え状態に切換え可能とすると共に、当該モード切換え状態に於て、２つの機能スイッチのうちの一方の操作で各種のモードに切換え可能としたことを特徴とする。
【０００７】
そして、請求項２に係る発明は、請求項１に記載の魚釣用リールに於て、各種のモードでの条件設定を、２つの機能スイッチのうちの他方の操作、またはリール本体に別途装着した他の機能操作部材の操作で設定可能としたことを特徴とし、請求項３に係る発明は、請求項１または請求項２に記載の魚釣用リールに於て、機能スイッチが、リール本体に装着した手動ハンドル側に偏寄して制御ケース上に配設されていることを特徴とする。
【０００８】
また、請求項４に係る発明は、請求項１乃至請求項３のいずれか１項に記載の魚釣用リールに於て、リールの動作状態をモード切換え状態に切り換える２つの機能スイッチの一方が、スプールを巻取り駆動するスプールモータのモータ駆動ＯＮ／ＯＦＦスイッチであることを特徴とする。
【発明の効果】
【０００９】
各請求項に係る発明によれば、魚釣用リールの各種モードの条件設定を行うモード切換え状態への切換え操作を、制御ケース上に配設した機能の異なる２つの機能スイッチを同時に所定時間押圧操作して行うように構成したので、従来に比し制御ケース上に設ける機能スイッチの数を減らすことが可能となってスペースの有効活用が図られると共に、誤操作が防止できて操作性が向上し、リール全体の小型化が可能となる。
【００１０】
そして、請求項３に係る発明によれば、機能スイッチがハンドル側に偏寄して制御ケース上に配設されているため、リール全体を握持する手の指にこれらのスイッチが邪魔にならず、リール全体をしっかり無理なく保持でき、従来に比し操作性が著しく向上することとなった。
また、請求項４に係る発明によれば、制御ケース上にモータ駆動ＯＮ／ＯＦＦスイッチを配設したことで、リール全体を握持した手の指の操作でスプールモータ駆動のＯＮ／ＯＦＦ操作ができ、この結果、釣場の状況に応じたスプールの巻取り駆動が可能となって実用性が一段と向上する利点を有する。
【発明を実施するための最良の形態】
【００１１】
以下、本発明の実施形態を図面に基づいて詳細に説明する。
図１は請求項１乃至請求項４の一実施形態に係る魚釣用リールを示し、図１に於て、１はリール本体３のフレーム、５，７は当該フレーム１の左右に取り付く側板で、両側板５，７間にスプール軸を介してスプール９が回転可能に支持されている。
スプール９は、スプールモータ１１の駆動やハンドル１３の巻取り操作で回転して釣糸が巻回されるようになっており、スプールモータ１１はスプール９前方のフレーム１に一体成形された筒状のモータケース内に収容されている。
【００１２】
そして、側板７の上部前方には、特許文献１で開示された魚釣用リールと同様、スプールモータ１１のモータ出力を増減してスプール９の回転速度（釣糸の巻取り速度）を調節するレバー形状のモータ出力調節体（以下、「パワーレバー」という）１５がハンドル１３と同方向へ回動操作可能に取り付けられており、図２に示すようにパワーレバー１５は、側板７内に固着されたポテンショメータ１７の回転軸１９に固定ナット２１を介して連結されている。そして、リール本体３上部の制御ケース２３内に装着された図３のマイクロコンピュータ（制御手段）２５は、パワーレバー１５の操作量に応じたパルス信号のデューティ比としてスプールモータ１１への電流通電時間率を可変制御して、モータ駆動回路２７を介してモータ出力をモータ停止状態から最大値（０〜１００％）まで連続的に可変制御するようになっている。
【００１３】
尚、図２に示すように側板７に形成された筒状のパワーレバー取付部２８の外周には、パワーレバー１５の基端部１５ａが当接するＯ−リング２９が筒状のカラー３１を介して環装されており、斯かる構造によりパワーレバー１５に摩擦力を与えてその回動操作に節度感を持たると共に、ポテンショメータ１７周辺の防水性を確保している。
而して、斯様にパワーレバー１５の回動操作に節度感を持たせたことで、操作中のパワーレバー１５を好きな位置で止めることが可能となる。
【００１４】
また、図１に示すようにスプール９後方の側板５，７間にはクラッチレバー３３が下方向へ押圧操作可能に取り付けられており、当該クラッチレバー３３の下方への押圧操作で、これに連結される側板７内のクラッチ機構がクラッチＯＮ（釣糸巻取り状態）からクラッチＯＦＦ（釣糸繰出し状態）に切り換わるようになっている。そして、このクラッチＯＦＦ状態でハンドル１３を巻取り方向に回転させると、図示しない周知の復帰機構を介してクラッチ機構がクラッチＯＮ状態に復帰するようになっている。
【００１５】
そして、このクラッチ機構のクラッチＯＮ／ＯＦＦによって、スプール９が釣糸巻取り状態と釣糸繰出し状態とに切り換わり、スプール９へのスプールモータ１１やハンドル１３の動力が伝達／遮断されるように構成されている。
一方、図１中、３５はスプール９の回転方向と回転数を検出する回転検出手段で、当該回転検出手段３５は、反ハンドル側のフレーム１に装着された一対のリードスイッチ３７と、これに対向してスプール９の一端側周縁部に固着された複数のマグネット３９とで構成されており、リードスイッチ３７はマイクロコンピュータ２５のＣＰＵに接続されている。
【００１６】
而して、マイクロコンピュータ２５のＲＯＭには、特開平５−１０３５６７号公報で開示された魚釣用リールと同様、糸長計測基礎データが入力された糸長計測プログラムが組み込まれており、ＣＰＵは、リードスイッチ３７から出力されるスプール９の正転／逆転の判定信号を取り込んで釣糸の繰出しか巻取りかを判定すると共に、リードスイッチ３７から取り込むスプール９の回転パルス信号をカウントし、この計数値を基に上記糸長計測プログラムによって糸長（釣糸の繰出し量）を求めるようになっている。
【００１７】
そして、ＣＰＵは、図３の表示駆動回路４１を介して糸長を制御ケース２３上部の操作パネル４３上に設けた液晶表示器（以下、「表示器」という）４５に表示させるようになっており、釣人は斯かる表示を確認し乍ら、所定の水深に仕掛けを繰り出したり、ハンドル１３やパワーレバー１５、また、後述する寸動スイッチ（モータ駆動ＯＮ／ＯＦＦスイッチで、押している時だけモータＯＮ、離すとモータＯＦＦとなる）４７の操作で釣糸を巻き取ることができる。
【００１８】
また、図１に示すように操作パネル４３上には、表示器３５に隣接して上下方向にリセットスイッチ４９と棚メモスイッチ５１が、リール本体３の両側板５，７間の中央よりハンドル１３側に偏寄して配設されると共に、両スイッチ４９，５１にオフセットさせて寸動スイッチ４７が表示器３１の斜め後方のハンドル１３側に設けられており、これらは図３の如くマイクロコンピュータ２５に接続されている。
【００１９】
そして、寸動スイッチ４７の操作でスプールモータ１１が駆動して、微妙な棚位置調整やシャクリ操作ができるようになっているが、図１に示すように寸動スイッチ４７に隣接して表示器４５後方の操作パネル４３上には、凹状の指載置スペース５３が左右方向に設けられており、指載置スペース５３の側板５側は大きく平面視円形状に広がり、また、指載置スペース５３の底部は、親指の指先に合わせて操作パネル４３の前後方向へ略弧状に窪んだ形状とされている。そして、指載置スペース５３の側板７側に前記寸動スイッチ４７が隣接して配設されており、このように表示器４５後方の操作パネル４３上に親指の指載置スペース５３を設けたことで、実釣時に、本実施形態に係る魚釣用リール５５の確実な握持が可能となる。
【００２０】
更に、上述の如く指載置スペース５３の側板７側に寸動スイッチ４７が隣接して配設されている構造上、指載置スペース５３に載置した親指による寸動スイッチ４７の誤操作の虞があるため、寸動スイッチ４７を囲繞する環状の隆起部５７が、指載置スペース５３及び周辺の操作パネル４３より上方へ突出させて当該操作パネル４３上に一体に設けられており、指載置スペース５３に載置した親指が側板７側にズレたときに、親指が隆起部５７の外周に接触して釣人にその旨を気付かせると同時に、親指による寸動スイッチ４７の誤操作を隆起部５７が積極的に防止するようになっている。
【００２１】
そして、既述したように上記寸動スイッチ４７やパワーレバー１５，ハンドル１３の操作でスプールモータ１１が駆動してスプール９に釣糸が巻き取られ、また、クラッチレバー３３のクラッチＯＦＦ操作でスプール９が釣糸繰出し状態に切り換わってスプール９から釣糸が繰り出され、この釣糸の繰出しや巻取りに伴い、マイクロコンピュータ２５が、リードスイッチ３７から取り込むスプール９の回転パルス信号を基に糸長を求めて表示器４５に表示させるが、図４に示すように表示器４５には、水面からの仕掛けの繰出し量（水深）を表示する上カラ表示部５９と、棚からの仕掛けの距離を表示する棚カラ表示部６１が上下２段に並設されている。そして、釣糸が竿先から水面まで繰り出された処で釣人が既述したリセットスイッチ４９を操作すると、マイクロコンピュータ２５のＣＰＵは、上カラ表示部５９の表示値を「０．０」にリセットさせるようになっている。
【００２２】
この後、釣人が釣糸を繰り出していくと、ＣＰＵで求められた糸長が上カラ表示部５９に表示され、そして、釣糸が例えば９５．５ｍ繰り出された処で釣人が棚メモスイッチ５１を操作すると、棚カラ表示部６１に「０．０」が表示されて棚位置が設定され、以後、図４に示すように棚位置から例えば１５ｍの釣糸の巻取りに伴う仕掛けの距離と水面からの繰出し量が、棚カラ表示部５９と上カラ表示部６１に夫々表示されるようになっている。
【００２３】
このように本実施形態は、制御ケース２３上部の操作パネル４３上に表示器４５と、従来に比し数の少ない僅かに３つの機能スイッチ（寸動スイッチ４７，リセットスイッチ４９，棚メモスイッチ５１）を配置したため、従来に比し操作パネル４３上の省スペース化が図れる。
そこで、図１に示すように本実施形態は、制御ケース２３の周辺部２３ａを斜め上方に傾斜させて（所謂、肉を取って）操作パネル４３の省スペース化を図ることで、制御ケース２３の小型化を図っている。
【００２４】
また、平面視円形状のリセットスイッチ４９と棚メモスイッチ５１の形状に対応させて、制御ケース２３に操作パネル４３と面一な半円形状の突起６３，６５をハンドル１３側に突設させており、斯かる構造によって、操作時にリセットスイッチ４９や棚メモスイッチ５１を視認しなくても突起６３，６５の手触りによって両スイッチ４９，５１の位置が把握できると共に、突起６３，６５を設けたことで、両スイッチ４９，５１の周辺部に面が確保されて操作時の感触が良好となっている。
【００２５】
そして、本実施形態に係る魚釣用リール５５は、上述の如き構成に加え、更に以下の如き特徴を有している。
即ち、既述したように本実施形態は、従来に比し数の少ない３つの機能スイッチ（寸動スイッチ４７，リセットスイッチ４９，棚メモスイッチ５１）を操作パネル４３上に配置したが、寸動スイッチ４７と棚メモスイッチ５１を同時に２秒間押圧操作すると、図５に示すように魚釣用リール５５（マイクロコンピュータ２５）は、「糸長計測実釣モード」から「モード切換え状態」に切り換わるようになっている。
【００２６】
この「糸長計測実釣モード」は、実釣時の釣糸の繰出しやハンドル１３，パワーレバー１５，寸動スイッチ４７等の操作による釣糸の巻取りに伴い、糸長が計測されて図４の如く計測値が表示器４５に表示される通常の実釣モードである。
そして、斯様に魚釣用リール５５が「モード切換え状態」に切り換わると、図５に示すように魚釣用リール５５は先ず「糸送りモード」となり、この後、寸動スイッチ４７を操作する毎に「糸送りモード」から「タイマー巻上げモード」，「チョイ巻きモード」，「糸長計測基礎データ入力モード」へと順次切り換わって、「糸長計測基礎データ入力モード」で寸動スイッチ４７を操作すると、魚釣用リール５５は「糸長計測実釣モード」に戻るようになっている。
【００２７】
而して、寸動スイッチ４７の操作で魚釣用リール５５が先ず「糸送りモード」に設定されると、図６に示すように上カラ表示部５９と棚カラ表示部６１の表示に代え、表示器４５内の左上のモード表示部６７に「糸送りモード」のモード名が表示されると共に、表示器４５内の左下の設定値表示部６９にモータ出力設定用の数字（モータ出力レベル値）が点滅表示される。
【００２８】
そして、この「糸送りモード」でパワーレバー１５を回動操作すると、点滅している設定値表示部６９のモータ出力レベル値の数字が増減変更するようになっており、釣人は設定値表示部６９の表示を目安に糸送り時のモータ出力を設定でき、斯様にパワーレバー１５の操作でモータ出力を設定した後、寸動スイッチ４７を操作して「タイマー巻上げモード」に移行すると、設定したモータ出力がマイクロコンピュータ２５の記憶手段に記憶（または更新）されるようになっている。
【００２９】
従って、「糸長計測実釣モード」で釣糸の繰出しに伴いパワーレバー１５や寸動スイッチ４７を操作すると、上述の如く設定されたモータ出力でスプールモータ１１が回転して、スプール９に作用する図示しないギヤ減速機構の駆動トルクや軸受部の摩擦抵抗を排除し、仕掛けの降下速度が向上することとなる。
そして、斯様に魚釣用リール５５が「糸送りモード」から「タイマー巻上げモード」に切り換わると、或いは「糸送りモード」での条件設定が不要で寸動スイッチ４７を操作して「タイマー巻上げモード」に切り換わると、図７に示すようにモード表示部６７に「タイマー巻上げモード」のモード名が表示されると共に、設定値表示部６９にタイマー値設定用の秒数が点滅表示されるようになっている。
【００３０】
而して、この「タイマー巻上げモード」に於ても、同様にパワーレバー１５の回動操作でタイマー値が増減設定できるようになっており、釣人が設定値表示部６９の表示を目安にタイマー値を設定した後、寸動スイッチ４７を操作して次の「チョイ巻きモード」に移行させると、設定したタイマー値がマイクロコンピュータ２５の記憶手段に記憶（または更新）されるようになっている。
【００３１】
従って、「糸長計測実釣モード」での実釣時に、設定されたタイマー値が図示しないタイマーでカウントされて、タイマー値の経過後、棚位置にある仕掛けがスプールモータ１１の駆動で巻き取られることとなる。
尚、図示しないがタイマーは、クラッチ機構のクラッチＯＦＦからクラッチＯＮへの切換えを検出する検出手段の検出信号によってマイクロコンピュータ２５が作動させ、また、タイマー値の経過後、マイクロコンピュータ２５がモータ駆動回路２７に指令を送出してスプールモータ１１を駆動させる。
【００３２】
上述の如く魚釣用リール５５が「チョイ巻きモード」に切り換わると、同様にモード表示部６７にモード名が表示されると共に、設定値表示部６９にモータ出力設定用の数字（モータ出力レベル値）が点滅表示される。
そして、同様にパワーレバー１５を回動操作すると、点滅している設定値表示部６９のモータ出力レベル値の数字が増減変更して、「糸長計測実釣モード」での寸動スイッチ４７の操作時のモータ出力が設定できるようになっており、釣人が設定値表示部６９の表示を目安にモータ出力を設定して寸動スイッチ４７を操作すると、「糸長計測実釣モード」での寸動スイッチ４７によるモータ出力が記憶手段に記憶（または更新）されるようになっている。
【００３３】
尚、寸動スイッチ４７とパワーレバー１５は別回路となっており、「糸長計測実釣モード」でパワーレバー１５の操作中に寸動スイッチ４７を操作すると、パワーレバー１５の操作時のモータ出力と関係なく、スプールモータ１１は「チョイ巻きモード」で設定されたモータ出力で寸動スイッチ４７の押圧操作時のみ駆動するようになっている。
そして、寸動スイッチ４７からパワーレバー１５の操作に切り換える際には、安全性を考慮して一度パワーレバー１５をモータ出力「０」の位置まで戻さなければ、パワーレバー１５によるスプールモータ１１の駆動ができないように構成されている。
【００３４】
以下、同様に、上述の如く寸動スイッチ４７の操作で魚釣用リール５５が「糸長計測基礎データ入力モード」に切り換わると、パワーレバー１５の操作で糸長計測プログラムの糸長計測基礎データが設定でき、この「糸長計測基礎データ入力モード」で寸動スイッチ４７を操作すると、記憶手段への糸長計測基礎データの記憶（または更新）が終了すると共に、魚釣用リール５５は「糸長計測実釣モード」に戻るようになっている。
【００３５】
尚、本実施形態では、各モードでの条件設定（モータ出力やタイマー値，基礎データの選択）をパワーレバー１５の回動操作で行うように構成したが、パワーレバー１５に代え、リセットスイッチ４９や棚メモスイッチ５１の操作でこれらの操作が行えるようにプログラムしてもよい。
本実施形態はこのように構成されているから、糸長計測の基礎データや糸送り，チョイ巻き時のモータ出力、或いはタイマー巻上げのタイマー値等を新たに設定したり更新する場合、「糸長計測実釣モード」で棚メモスイッチ５１と寸動スイッチ４７を同時に２秒間押圧操作して魚釣用リール５５を「モード切換え状態」に切り換えれば、魚釣用リール５５は先ず「糸送りモード」となる。
【００３６】
そして、既述したようにこの「糸送りモード」に於て、パワーレバー１５の回動操作と寸動スイッチ４７の操作で糸送り時のモータ出力が記憶手段に記憶（または更新）され、以後、寸動スイッチ４７の操作で魚釣用リール５５を「タイマー巻上げモード」，「チョイ巻きモード」，「糸長計測基礎データ入力モード」に切り換えて、各モードで、同様にパワーレバー１５の回動操作と寸動スイッチ４７の操作により、タイマー値やモータ出力，糸長計測基礎データ等が記憶手段に記憶（または更新）されることとなる。そして、「糸長計測実釣モード」で、上述の如く設定されたモータ出力やタイマー値等に基づいて実釣が行われ、糸長計測が行われることとなる。
【００３７】
このように実施形態は、「糸長計測実釣モード」から各種モードの条件設定を行う「モード切換え状態」への切換え操作を、操作パネル４３上に配設した機能の異なる２つの寸動スイッチ４７と棚メモスイッチ５１を同時に所定時間押圧操作して行うように構成したので、従来に比し操作パネル４３上に設ける機能スイッチの数を減らすことが可能となってスペースの有効活用が図られると共に、誤操作が防止できて操作性が向上し、また、制御ケース２３の周辺部２３ａの肉を取って操作パネル４３の省スペース化を図ることが可能となってリール全体の小型化が可能となる。
【００３８】
而も、リセットスイッチ４９や棚メモスイッチ５１，寸動スイッチ４７がハンドル１３側に偏寄して操作パネル４３上に配設したため、リール全体を握持する手の指にこれらのスイッチが邪魔にならず、リール全体をしっかり無理なく保持でき、従来に比し操作性が著しく向上することとなった。
更に、本実施形態によれば、操作パネル４３上に寸動スイッチ４７を配設したことで、リール全体を握持した手の指の操作でスプールモータ１１駆動のＯＮ／ＯＦＦ操作ができ、この結果、釣場の状況に応じたスプール９の巻取り駆動が可能となって実用性が一段と向上する利点を有する。
【図面の簡単な説明】
【００３９】
【図１】請求項１乃至請求項４の一実施形態に係る魚釣用リールの正面図である。
【図２】図１に示す魚釣用リールの要部拡大断面図である。
【図３】図１に示す魚釣用リールの制御ブロック図である。
【図４】糸長計測実釣モードでの表示器の表示状態の説明図である。
【図５】モードの切換え状態を示すフローチャートである。
【図６】糸送りモードでの表示器の表示状態の説明図である。
【図７】タイマー巻上げモードでの表示器の表示状態の説明図である。
【符号の説明】
【００４０】
１  フレーム
３  リール本体
９  スプール
１１  スプールモータ
１３  ハンドル
１５  パワーレバー
１７  ポテンショメータ
２３  制御ケース
２９  Ｏ−リング
３１  カラー
３３  クラッチレバー
３５  回転検出手段
４３  操作パネル
４５  表示器
４７  寸動スイッチ
４９  リセットスイッチ
５１  棚メモスイッチ
５３  指載置スペース
５５  魚釣用リール
５７  隆起部
５９  上カラ表示部
６１  棚カラ表示部
６３，６５  突起
６７  モード表示部
６９  設定値表示部
【図１】
2005176702.tif 000003
【図２】
2005176702.tif 000004
【図３】
2005176702.tif 000005
【図４】
2005176702.tif 000006
【図５】
2005176702.tif 000007
【図６】
2005176702.tif 000008
【図７】
2005176702.tif 000009